(57)【特許請求の範囲】
【請求項１】
枠体内に障子を取り付けた建具において、
前記障子は上框及び下框と左右の縦框を備えてその内部にパネルが納められ、
前記上框及び下框と左右の縦框のいずれかの框部におけるパネル嵌合溝の底部より見込み方向屋内側にハンドルが取り付けられ、
少なくとも三方の前記框部の屋内側に押縁が取り付けられ、
前記ハンドルを設けた前記框部の前記パネル嵌合溝よりも前記ハンドルに対向する前記框部の前記パネル嵌合溝の方が前記パネルの飲み込み代が大きく設定されていることを特徴とする建具。
【請求項２】
枠体内に障子を取り付けた建具において、
前記障子は上框及び下框と左右の縦框を備えてその内部にパネルが納められ、
前記上框及び下框と左右の縦框のいずれかの框部におけるパネル嵌合溝の底部より見込み方向屋内側にハンドルが取り付けられ、
少なくとも三方の前記框部の屋内側に押縁が取り付けられ、
前記ハンドルは前記框部の見込み面に取り付けられていることを特徴とする建具。
【請求項３】
前記ハンドルは、前記縦框に取り付けられ、
前記ハンドルが取り付けられた前記縦框には押縁が設けられていない請求項１または請求項２に記載の建具。
【請求項４】
枠体内に障子を取り付けた建具の組み立て方法において、
ハンドルを取り付けた一方の框部のパネル嵌合溝にパネルの一方の端部を押し込む工程と、
前記パネルの一方の端部に対向する他方の端部を前記一方の框部に対向する他方の框部のパネル嵌合溝に押し込む工程と、
四方の前記框部の少なくとも三方に押縁を取り付ける工程と、
を備えたことを特徴とする建具の組み立て方法。
【発明の詳細な説明】
【技術分野】
【０００１】
本発明は、例えば躯体の開口部に設けた枠体に障子を納めた建具とその組み立て方法に関する。
【背景技術】
【０００２】
従来、縦辷り出し窓として特許文献１に記載されたものが提案されている。この縦辷り出し窓は樹脂製建具であり、枠体内に開閉可能な障子が納められている。この障子は上框と下框と左右の縦框とで仕切られた四角形枠状の框体の内部にトリプルガラスからなるガラスパネルが納められている。
そして、一方の縦框の屋内側におけるガラスパネルの装着部より屋内側の見込み面にグレモン錠のハンドルが取り付けられている。上框と下框と左右の縦框の屋外側にはガラスパネルを固定する外押縁がそれぞれ装着されている。上框、下框、左右の縦框に装着するガラスパネルに対して各框の屋外側に形成した押縁取り付け溝に押縁をそれぞれ嵌着して、ガラスパネルの４周縁部を固定している。
【先行技術文献】
【特許文献】
【０００３】
【特許文献１】特開２０１５−１０５５０４号公報
【発明の概要】
【発明が解決しようとする課題】
【０００４】
しかしながら、特許文献１に記載された縦辷り出し窓は、障子の框体に屋外側からガラスパネルを設置して４周縁部にそれぞれ押縁を取り付けてガラスパネルを固定する構造であるため、低層の一般住宅等では取り付け可能であるが、高層階となるビル等では屋外からのガラスパネルや押縁の取り付けが困難であった。
しかも、屋内側の一方の縦框にはグレモン錠等のハンドルが取り付けられているために屋内側からガラスパネルを設置して押縁を取り付けることが困難であった。
【０００５】
本発明は、このような課題に鑑みてなされたものであって、ハンドルがあっても屋内側からガラスパネルと押縁を設置できるようにした建具とその組み立て方法を提供することを目的とする。
【課題を解決するための手段】
【０００６】
本発明による建具は、枠体内に障子を取り付けた建具において、障子は上框及び下框と左右の縦框を備えてその内部にパネルが納められ、上框及び下框と左右の縦框のいずれかの框部におけるパネル嵌合溝の底部より見込み方向屋内側にハンドルが取り付けられ、少なくとも三方の框部の屋内側に押縁が取り付けられ、前記ハンドルを設けた前記框部の前記パネル嵌合溝よりも前記ハンドルに対向する前記框部の前記パネル嵌合溝の方が前記パネルの飲み込み代が大きく設定されていることを特徴とする。
本発明によれば、障子のいずれかの框部のパネル嵌合溝の底部より見込み方向屋内側にハンドルが取り付けられているので開口面積とパネルの面積を広くとることができ、パネルの面積が広いことで断熱性と意匠性を向上できる。しかも、少なくとも三方の框部の屋内側に押縁が取り付けられているため、屋内側からパネルを固定することができる。
また、他方の框部では押縁の嵌合スペースを確保する必要があるため飲み込み代を大きくとる上に、ハンドルを設けた一方の框部では枠との間に小開口ストッパー等の開閉部材を設置するためのスペースが必要であるために飲み込み代が小さくなる。
【０００８】
本発明による建具は、枠体内に障子を取り付けた建具において、前記障子は上框及び下框と左右の縦框を備えてその内部にパネルが納められ、前記上框及び下框と左右の縦框のいずれかの框部におけるパネル嵌合溝の底部より見込み方向屋内側にハンドルが取り付けられ、少なくとも三方の前記框部の屋内側に押縁が取り付けられ、ハンドルは框部の見込み面に取り付けられていることを特徴とする。
本発明によれば、障子のいずれかの框部のパネル嵌合溝の底部より見込み方向屋内側にハンドルが取り付けられているので開口面積とパネルの面積を広くとることができ、パネルの面積が広いことで断熱性と意匠性を向上できる。しかも、少なくとも三方の框部の屋内側に押縁が取り付けられているため、屋内側からパネルを固定することができる。
また、框部の見込み面にハンドルを取り付けることでその框部の見付け方向の幅を小さくすることができる。
また、前記ハンドルは、前記縦框に取り付けられ、前記ハンドルが取り付けられた前記縦框には押縁が設けられていなくてもよい。
【０００９】
本発明による建具の組み立て方法は、枠体内に障子を取り付けた建具の組み立て方法において、ハンドルを取り付けた一方の框部のパネル嵌合溝にパネルの一方の端部を押し込む工程と、パネルの一方の端部に対向する他方の端部を一方の框部に対向する他方の框部のパネル嵌合溝に押し込む工程と、４方の框部の少なくとも三方に押縁を取り付ける工程と、を備えたことを特徴とする。
本発明では、パネルの取り付けに際して、ハンドルを取り付けた一方の框部のパネル嵌合溝にパネルの一端部を差し込んだ後に対向する他端部を対向する他方の框部に押し込んでスライドさせて他方の框部のパネル嵌合溝にパネルを嵌め込むことができ、更に少なくとも三方に押縁を取り付けて固定することができる。
【発明の効果】
【００１０】
本発明による建具によれば、障子のいずれかの框部のパネル嵌合溝の底部より見付け方向屋内側にハンドルが取り付けられたので開口面積とパネルの面積を広くとることができ、パネルの面積が広いことで断熱性と意匠性を向上できる。しかも、少なくとも３方の框部の屋内側に押縁が取り付けられているため、屋内側からパネルを固定することができる。
また、本発明による建具の組み立て方法では、ハンドルを取り付けた一方の框部のパネル嵌合溝にパネルの一端部を差し込んだ後に対向する他端部を他方の框部に押し込んでパネル嵌合溝に嵌め込み、押縁でパネルを固定できる。そのため、框部にハンドルを設けていても屋内側から容易にパネルを取り付けて押縁で固定できる。
【図面の簡単な説明】
【００１１】
【図１】本発明の実施形態による縦辷り出し窓の正面図である。
【図２】図１に示す縦辷り出し窓の縦断面図である。
【図３】図１に示す縦辷り出し窓の横断面図である。
【図４】図２に示す下框部分の拡大断面図である。
【図５】縦框と押縁との間を封止する気密ピースを取り付けた要部斜視図である。
【図６】（ａ）、（ｂ）、（ｃ）は障子へのガラスパネルと押縁の取り付け方法を示す図である。
【発明を実施するための形態】
【００１２】
以下、本発明の実施形態による複合建具の一例として縦辷り出し窓について図１乃至図６に基づいて説明する。
図１に示す実施形態による縦辷り出し窓１は例えばアルミ合金等の金属部材と樹脂部材の複合建具からなっている。この縦辷り出し窓１は、躯体開口部２にそれぞれアルミ合金及び樹脂からなる上枠３及び下枠４と左右の縦枠５、６とが四角形枠状に形成された枠体７を取り付けている。
枠体７内に開閉可能に納めた障子９は、それぞれアルミ合金と樹脂からなる框部としての上框１０及び下框１１と左右の縦框１２，１３とが略四角形枠状に形成された框体１４を有している。框体１４の内部にはパネルとして例えば二層ガラス等の複層ガラスからなるガラスパネル１５を納めている。障子９の吊元は枠体７の見付け方向の一端部である縦枠６近傍に設けられ、その軸線は上下方向に延びて上枠３と下枠４に支持されている。
【００１３】
図２に示す縦辷り出し窓１の縦断面図において、枠体７の上枠３は屋外側に設けたアルミ合金からなる金属上枠３ａと屋内側に設けた樹脂上枠３ｂとが互いに係合されている。下枠４は屋外側に設けたアルミ合金からなる金属下枠４ａと屋内側に設けた樹脂下枠４ｂとが互いに係合されている。
また、図３に示す横断面図において、戸先側（図３において左側）に設けた縦枠５は屋外側に設けたアルミ合金からなる金属縦枠５ａと屋内側に設けた樹脂縦枠５ｂとが互いに係合されている。吊元側に設けた縦枠６は屋外側に設けたアルミ合金からなる金属縦枠６ａと屋内側に設けた樹脂縦枠６ｂとが互いに係合されている。
【００１４】
次に枠体７に納められた障子９の框体１４はそれぞれ屋外側に設けたアルミ合金からなる金属上框１７と金属下框１８と左右の金属縦框１９，２０とで四角形枠状に形成されている。図２に示す金属上框１７と金属下框１８にはガラスパネル１５の上端部と下端部を嵌合するための断面略Ｌ字状のパネル嵌合溝１７ａ、１８ａが形成され、それぞれゴム等のシール材からなるパッキン２２によってガラスパネル１５の上端部と下端部の両面を保持している。
金属上框１７と金属下框１８に形成したパネル嵌合溝１７ａ、１８ａの屋内側にはパッキン２２を介してガラスパネル１５の屋内側の側面を押圧保持するための上部押縁２４、下部押縁２５が取り付けられている。
【００１５】
上部押縁２４は係合部ａ，ｂで互いに係合する金属押縁片２４ａと樹脂押縁片２４ｂとが一体化されている。金属押縁片２４ａはパッキン２２を介してガラスパネル１５を押圧し、パネル嵌合溝１７ａと共に断面略コの字状を形成してガラスパネル１５を保持する。しかも金属押縁片２４ａは係合部ｃ、ｄで金属上框１７に係合されている。係合部ａ，ｂ，ｃ，ｄはいずれか一方が爪部で他方が爪部と係合する係合受け部を構成する。
同様に下部押縁２５も金属押縁片２５ａと樹脂押縁片２５ｂが係合部ａ，ｂ，ｃ，ｄで係合され、金属押縁片２５ａとパネル嵌合溝１８ａとで断面略コの字状とされてガラスパネル１５を保持する。
そのため、上框１０は金属上框１７と上部押縁２４で構成され、下框１１は金属下框１８と下部押縁２５で構成されている。
【００１６】
また、金属上枠３ａの屋内側端部には略Ｌ字状に屈曲して屋外側を向く部分に受け部３ａａが形成され、この受け部３ａａに気密性を確保するシール部材２６ａが取り付けられている。閉鎖状態にある障子９の金属上框１７の屋内側端部がシール部材２６ａに当接して気密にシールする。同様に、金属下枠４ａの屋内側端部は略Ｌ字状に屈曲して屋外側を向く部分に受け部４ａａが形成され、この受け部４ａａに気密性を確保するシール部材２６ｂが取り付けられている。閉鎖状態にある障子９の金属下框１８の屋内側端部がシール部材２６ｂに当接して気密にシールする。
【００１７】
また、図３において、左側の金属縦框１９にはガラスパネル１５の左側端部を受けるための断面略コの字状のパネル嵌合溝１９ａが形成され、ゴム等のシール材からなるパッキン２２を介してガラスパネル１５の左側端部の両面を保持している。
右側の金属縦框２０にはガラスパネル１５の右側端部を嵌合するための断面略Ｌ字状のパネル嵌合溝２０ａが形成され、ゴム等のシール材からなるパッキン２２によってガラスパネル１５の右側端部の両面を保持している。
そして、右側の金属縦框２０に形成した断面略Ｌ字状のパネル嵌合溝２０ａの屋内側にはパッキン２２を介してガラスパネル１５を押圧保持するための縦部押縁２８が取り付けられている。
また、金属縦枠６ａの屋内側端部には略Ｌ字状に屈曲する屋外側を向く部分に受け部６ａａが形成され、この受け部６ａａにシール部材２６ｃが取り付けられている。閉鎖状態にある障子９の金属縦框２０の屋内側端部がシール部材２６ｃに当接して気密にシールする。
【００１８】
この縦部押縁２８も金属押縁片２８ａと樹脂押縁片２８ｂが係合部ａ，ｂ，ｃ，ｄで係合して一体化され、金属押縁片２８ａとパネル嵌合溝２０ａとで断面略コの字状とされてガラスパネル１５を保持する。そのため、右側の縦框１２は金属縦框２０と縦部押縁２８で構成されている。
ここで、図２乃至図４において、各押縁２４、２５、２８の金属押縁片２４ａ、２５ａ、２８ａと金属上框１７、金属下框１８、吊元側の金属縦框２０との各係合部ｃ，ｄに関し、例えば金属押縁片２４ａ、２５ａ、２８ａ側に設けた係合受け部４０と金属上框１７、金属下框１８、吊元側の金属縦框２０の爪部４１とが係合されている。しかも、係合受け部４０は屋外側から屋内側に向けて湾曲するフック状に形成され、爪部４１は屋内側から屋外側に向けて突出する突片に形成されて、互いに係合している。そのため、屋外側からガラスパネル１５に吹き付ける風圧Ｆによって、ガラスパネル１５側から屋内側の各押縁２４、２５、２８に向けて強い風圧Ｆａがかかっても係合部ｃ、ｄで受け止めることができて耐風圧強度が向上する。
【００１９】
また、図４及び図５において、下部押縁２５の金属押縁片２５ａと金属下框１８とで仕切る中空のホロー部４４には外気が含まれている。金属縦框１９のホロー部内は屋内側に連通する内気が含まれている。そして、金属縦框１９の下端部と金属押縁片２５ａのホロー部４４との間にスポンジやゴム等の弾性体からなる気密ピース４５を設置してホロー部４４やパネル嵌合溝１８ａ内等の外気が金属縦框１９のホロー部内に流入しないようにして内気の空間を維持している。この構成は上部押縁２４の金属押縁片２４ａと金属縦框１９の上端部のホロー部との間にも採用されている。
【００２０】
図３で、左側の金属縦框１９に形成した断面略コの字状のパネル嵌合溝１９ａの屋内側には複数のホロー部を有する金属縦框１９が略Ｌ字状に屈曲して延びてハンドル受け部１９ｂが形成されている。このハンドル受け部１９ｂの見込み面１９ｂａには例えば略Ｌ字状に形成されたグレモン錠のハンドル３０が取り付けられている。ハンドル受け部１９ｂには見込み面１９ｂａを除いて屋内側見付け面を覆う樹脂縦框２７が係合されている。
また、吊先側の金属縦枠５ａの屋内側端部には略Ｌ字状に屈曲して屋外側を向く部分に受け部５ａａが形成され、この受け部５ａａに気密性を確保するシール部材２６ｄが取り付けられている。閉鎖状態にある障子９の金属縦框１９の屋内側端部がシール部材２６ｄに当接して気密にシールする。
【００２１】
本実施形態による縦辷り出し窓１では、障子９の吊先側の縦框１２には、金属縦框１９の屋内側の見込み面１９ｂａに障子９を開閉操作するハンドル３０を設けたため押縁は設けられていない。ハンドル３０を吊先側の縦框１２の見込み面１９ｂａに設けたことで、縦框１２の見付け方向の幅を小さくできる。
ハンドル３０を取り付ける見込み面１９ｂａは吊先側の金属縦框１９におけるパネル嵌合溝１９ａの底部１９ｃよりも見込み方向の屋内側に設けたため、パネル嵌合溝１９ａ，２０ａ間の開口面積を広くとることができる。そのため、ガラスパネル１５の横幅と開口面積を広く設定することができるため、断熱性と意匠性が向上する。
【００２２】
しかも、金属縦框１９のパネル嵌合溝１９ａに形成したガラスパネル１５の飲み込み代３６よりも、対向する金属縦框２０のパネル嵌合溝２０ａに形成したガラスパネル１５の飲み込み代３７の方が幅広に設定されている。これにより、吊元側の縦部押縁２８における金属押縁片２８ａと金属縦框２０との係合部ｃ、ｄのスペースを確保することができる。
また、パネル嵌合溝１９ａの飲み込み代３６を比較的小さくしたため、吊先側の金属縦框１９と金属縦枠５ａとの空間３８に障子９の開口範囲を規制する小開口規制アーム等の開閉部材を取り付けるためのスペースを取ることができる。
【００２３】
その一方で、障子９の框体１４における上框１０と下框１１と吊元側の縦框１３には金属上框１７、金属下框１８、吊元側の金属縦框２０にそれぞれ屋内側から内押縁として上部押縁２４、下部押縁２５、縦部押縁２８が設置されていることで、各パネル嵌合溝１７ａ，１８ａ、２０ａとの間でガラスパネル１５を屋内側から押圧して固定している。この場合も、障子９のハンドル３０を設けない上框１０、下框１１、吊元側の縦框１３の３方にそれぞれ上部押縁２４、下部押縁２５、縦部押縁２８を固定したことで、上框１０、下框１１、吊元側の縦框１３の見付け方向の幅を小幅にしてもガラスパネル１５の高い保持強度を得られる。
また、図３において、対向する縦框１２，１３におけるガラスパネル１５の屋内側に金属縦框１９及び樹脂縦框２７のホロー部と縦部押縁２８のホロー部とをそれぞれ設けため、断熱性を向上させることができる。しかも、縦框１２，１３においてアルミ合金製の金属縦框１９、２０が屋外側から屋内側に延びているので、この点でもガラスパネル１５にかかる風圧に対する耐風圧強度が高いといえる。
【００２４】
また、障子９の金属上框１７の外側上端部に設けた受け部３１ａに上枠３に当接して気密にシールするシール部材２９ａが設けられている。左右の金属縦框１９，２０の外側端部に設けた受け部３１ｂ、３１ｃにも左右の縦枠５，６にそれぞれ当接して気密にシールするシール部材２９ｂ、２９ｃが設けられている。
また、図２において、金属上枠３ａと金属上框１７の間には障子９の開放範囲を規制するフリクションアーム３３が連結され、金属下枠４ａと金属下框１８の間にも障子９の開放範囲を規制するフリクションアーム３４が連結されている。
【００２５】
本実施形態による縦辷り出し窓１は上述の構成を備えており、次にビル等の建物における縦辷り出し窓１の取り付け方法について図６により説明する。本実施形態ではハンドル３０は金属縦框１９に固定されているが、金属縦框１９に縦部押縁を設置して縦部押縁にハンドルを固定してもよい。
先ず図６（ａ）において、建物の躯体開口部２に屋内側から枠体７と障子９の框体１４をセットで取り付ける。或いは、先に躯体開口部に枠体７を取り付け、次に障子９の框体１４を屋内側から枠体７に取り付けてもよい。この状態で吊先側の縦框１２の屋内側の見込み面１９ｂａにハンドル３０が固定されている。
【００２６】
次に、ガラスパネル１５を框体１４に収納する際、ガラスパネル１５を框体１４に対向して保持する。図６（ｂ）に示すように、ハンドル３０を備えた吊先側の縦框１２の金属縦框１９に形成したパネル嵌合溝１９ａ内に、ガラスパネル１５のハンドル３０側の縦側端部を挿入して押し込む。次いで、傾斜姿勢のガラスパネル１５における他方の縦側端部を吊元側の縦框１３に押し込んで、金属縦框２０のパネル嵌合溝２０ａ内に摺動させて位置決めする。
【００２７】
そして、図６（ｃ）において、屋内側から、吊元側の金属縦框２０に縦部押縁２８を押し込んで装着する。同様に金属上框１７と金属下框１８に上部押縁２４と下部押縁２５をそれぞれ押し込んで装着する。
障子９のハンドル３０を設置しない吊元側の金属縦框２０、金属上框１７、金属下框１８の３カ所に縦部押縁２８、上部押縁２４、下部押縁２５を押し込み固定することで框体１４にガラスパネル１５を強固に装着できる。しかも、ハンドル３０がガラスパネル１５の装着の邪魔にならない。
【００２８】
上述のように本実施形態による縦辷り出し窓１とその組み立て方法によれば、障子９のハンドル３０を設けた側の吊先側の縦框１２からガラスパネル１５の縦側端部を挿入して他の端部を押し込むことで、ハンドル３０が邪魔にならず、框体１４にガラスパネル１５を容易に装着できる。
しかも、ハンドル３０側の縦框１２に押縁を設けずに他の３方の上框１０、下框１１、縦框１３に上部押縁２４、下部押縁２５、縦部押縁２８の各押縁をそれぞれ取り付けてガラスパネル１５を強固に固定できる。
また、框体１４の上框１０、下框１１、左右の縦框１２，１３の見付け方向の幅を小さくできて見栄えがよい。特にハンドル３０を吊先側の縦框１２の見込み面１９ｂａに設けたため、一層この縦框１２の幅を小さくできる。
【００２９】
なお、本発明による縦辷り出し窓１は、上述した実施形態に限定されるものではなく、本発明の要旨を逸脱しない範囲で適宜の変更や置換等が可能である。以下に、本発明の変形例等について説明するが、上述した実施形態で説明した部品や部材等と同一または同様なものについては同一の符号を用いて説明を省略する。
【００３０】
上述した実施形態では、ハンドル３０を設けた吊先側の縦框１２以外の３方の上框１０、下框１１、縦框１３に押縁を取り付けたが、本発明はこのような構成に限定されるものではなく、少なくともハンドル３０を取り付けた縦框１２に対向する吊元側の縦框１３に押縁を設置すれば、ガラスパネル１５を框体１４に固定できる。
また、上述の実施形態では、ハンドル３０を障子９の吊先側の縦框１２の見込み面１９ｂａに取り付けたが、これに代えて見付け面に取り付けてもよい。この場合にはハンドル３０を見込み面１９ｂａに取り付けた場合よりも縦框１２の見付け方向の幅が大きくなる。また、押縁はハンドル３０を設置した縦框にも取り付け可能である。しかもハンドル３０は左右の縦框や上下框等に取り付けてもよいし押縁に取り付けてもよい。
【００３１】
なお、上述した実施形態による縦辷り出し窓１は金属部材と樹脂部材からなる複合建具としたが、アルミ合金製等の金属で構成した金属建具や樹脂で構成した樹脂建具等でもよい。
また、本発明による建具として縦辷り出し窓１を例にとって説明したが、本発明はこれに限定されるものではなく、横辷り出し窓にも適用できる。この場合、ハンドル３０は下框や上框等の横框に取り付けることができる。ガラスパネル１５も下框側や上框側から上下方向に取り付けることができる。
また、本発明は上記の窓以外にも引き違い窓等各種の建具にも適用できる。
また、本発明による建具はビル用に限らず一般住宅用の建具等にも採用できる。
【符号の説明】
【００３２】
１  縦辷り出し窓
７  枠体
９  障子
１２、１３  縦框
１５  ガラスパネル
１７ａ，１８ａ，１９ａ，２０ａ  パネル嵌合溝
１９、２０  金属縦框
１９ｂａ  見込み面
１９ｃ  底部
２４  上部押縁
２５  下部押縁
２８  縦部押縁
３０  ハンドル
３６，３７  飲み込み代
４５  気密ピース
【図１】
0006757582.tif 000002
【図２】
0006757582.tif 000003
【図３】
0006757582.tif 000004
【図４】
0006757582.tif 000005
【図５】
0006757582.tif 000006
【図６】
0006757582.tif 000007